(57)【要約】      （修正有）【課題】物入れとして兼用可能なディスクケースを提供する。【解決手段】ディスクケース３０は、二本の底枠７２と二本の側枠７４を有する二個のディスク固定枠７０と、側枠を通して側枠の回転軸とされる二個の固定金具９０と、二個の固定枠における各底枠の裏側に設けられる留め具９２とを含む。【選択図】図３
0003110458.tif 000002
【実用新案登録請求の範囲】
【請求項１】
二本の底枠と二本の側枠を有する二個のディスク固定枠と、
側枠を通して側枠の回転軸とされる二個の固定金具と、
二個の固定枠における各底枠の裏側に設けられる留め具とを含むことを特徴とするディスクケース。
【請求項２】
前記各底枠には差込孔が設けられ、前記固定金具は差込孔を通して対応する側枠を固定し、側枠の回転軸となることを特徴とする請求項１記載のディスクケース。
【請求項３】
前記側枠を互いに重なる位置に回転するとき、二個のディスク固定枠がディスクをはさむディスクケースとなることを特徴とする請求項２記載のディスクケース。
【請求項４】
前記留め具は平面、凹面、凹凸または突起表面であり、ディスクの縁をはさんで収容することを特徴とする請求項３記載のディスクケース。
【請求項５】
前記留め具は更に、ディスクの縁を固定してディスクの脱落もしくは損傷を避けるためのゴムパッド、滑り止めパッド、粗表面を含むことを特徴とする請求項４記載のディスクケース。
【請求項６】
前記側枠の長さが同じである場合、側枠を互いに交差する位置に回転するとき、二個のディスク固定具はＸ字型を呈することを特徴とする請求項２記載のディスクケース。
【請求項７】
前記側枠の長さが同じでない場合、側枠を互いに交差する位置に回転するとき、二個のディスク固定具は逆Ｙ字型を呈することを特徴とする請求項２記載のディスクケース。
【請求項８】
前記ディスクケースは更に、少なくとも二本の底枠に取り付けられる軟質支持面、フレキシブルバッグまたは網袋を含み、側枠を互いに交差する位置に回転するときに物入れとなることを特徴とする請求項２記載のディスクケース。
【請求項９】
前記二個のディスク固定枠の材料は紙、木材、ポリカーボネート（ＰＣ）、アクリル、ポリスチレンなどであることを特徴とする請求項１記載のディスクケース。
【請求項１０】
前記ディスク固定枠が射出成型で製作されることを特徴とする請求項９記載のディスクケース。
【考案の詳細な説明】
【技術分野】
【０００１】
この考案はディスクケースに関し、特に物入れとして兼用可能なディスクケースに関する。
【背景技術】
【０００２】
マルチメディア技術の発展に伴い、音楽またはソフトウェアを保存するＣＤ、映像を保存するＶＣＤ、音楽、映像、ソフトウェアを保存するＤＶＤなどの光ディスクは大量に利用されるようになった。これらの光ディスクは更に、ＳＡＣＤ、ＤＶＤ−Ａｕｄｉｏ、ＤＶＤ−Ｖｉｄｅｏ、ＤＶＤ−ＲＯＭ、ＤＶＤ−ＲＡＭ、ＤＶＤ−Ｒなどと細分できる。光ディスクの多用にしたがって、光ディスクを収納するケースの開発もますます重要になりつつある。
【０００３】
図１を参照する。図１は従来のディスクケース１０を表す説明図である。ディスクケース１０はディスク１８を収容する収容部１２を有する。しかし、従来のディスクケース１０の機能はディスクを収納するにとどまり、使用者の要望に応じて付加機能を追加することは困難である。そのため、単なるプラスチック製消耗材から脱皮して、使用者の要望に応じた多用途ディスクケースの開発は重要な課題となっている。
【考案の開示】
【考案が解決しようとする課題】
【０００４】
この考案は前述の問題を解決するため、物入れとして兼用可能なディスクケースを提供することを課題とする。
【課題を解決するための手段】
【０００５】
この考案によるディスクケースは、二本の底枠と二本の側枠を有する二個のディスク固定枠と、側枠を通して側枠の回転軸とされる二個の固定金具と、二個の固定枠における各底枠の裏側に設けられる留め具とを含む。
【考案の効果】
【０００６】
この考案によるディスクケースは、高速生産に適するポリカーボネート（ＰＣ）、アクリル、ポリスチレンなどを材料とすることが可能であり、生産コストを大幅に引き下げることができる。なお、この考案は多用途ディスクケースを提供して消費者の要望を満足させる。
【考案を実施するための最良の形態】
【０００７】
かかる装置の特徴を詳述するために、具体的な実施例を挙げ、図面を参照しながら以下に説明する。
【０００８】
図２から図５を参照する。図２から図５は、この考案によるディスクケース３０を表す説明図である。図２によれば、ディスクケース３０はディスク固定具５０、７０を有する。ディスク固定具５０、７０はそれぞれ２本の底枠５２、７２と２本の側枠５４、７４からなり、側枠５４、７４にはそれぞれ差込孔５６、７６が設けられる。差込孔５６、７６には固定金具９０がはめられ、ディスク固定具５０、７０はそれによって回転できるように固定される。側枠５４、７４を図３で示されるように回転すれば、ディスク固定具５０、７０でディスク９４をはさむことができる。底枠５２、７２は扁平型、円柱または四角形であり、側枠７４には側枠５４、７４が重なるとき底枠５２を収容する凹部７５が設けられる。
なお、図３によれば、ディスク固定具５０、７０の底枠５２、７２には留め具９２が設けられる。留め具９２はディスク９４を留める平面、凹面、凹凸、突起表面である。更に、留め具９２にゴムパッドまたは滑り止めパッドを増設することも可能である。
【０００９】
ディスク固定具５０、７０は図４と図５で示されるように固定金具９０を軸としてＸ字型に回転することができる。この場合、底枠５２、７２にビニール、紙、革、布など軟質の袋９６、軟質支持面、フレキシブルバッグもしくは網袋を取り付ければ、物入れ９８として利用することができる。このように、ディスクケースはディスクを収納するだけでなく、物入れとしても利用できる。更に布製の袋９６には図案もしくは広告を印刷することも可能である。
【００１０】
注意すべき点は、側枠５４、７４の長さは必ずしも同じではない。側枠５４、７４の長さが同じである場合、前述の通りにＸ字型になり、側枠５４、７４の長さが同じでない場合には、図６で示されるように逆Ｙ字型になる。それにビニール、紙、革、布など軟質の袋９９もしくは網袋を取り付ければ、物入れとして使用するのみならず、袋を取り付けない場合ｆでも写真１０２を置くことが可能である。
【００１１】
この考案によるディスクケース３０の部品は、紙、木材、ポリカーボネート（ＰＣ）、アクリル、ポリスチレンなどの材質である。射出成型で底枠と側枠を別々に製作してから組み立てるほかにも、一体成型でディスク固定枠を製作することが可能である。
【００１２】
以上はこの考案に好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録の範囲に属するものとする。
【産業上の利用可能性】
【００１３】
この考案によるディスクケースは、高速生産に適するポリカーボネート（ＰＣ）、アクリル、ポリスチレンなどを材料とすることが可能であり、生産コストを大幅に引き下げることができる。なお、この考案は多用途ディスクケースを提供して消費者の要望を満足させる。
【図面の簡単な説明】
【００１４】
【図１】従来のディスクケースを表す説明図である。
【図２】この考案によるディスクケースを表す第一説明図である。
【図３】この考案によるディスクケースを表す第二説明図である。
【図４】この考案によるディスクケースを表す第三説明図である。
【図５】この考案によるディスクケースを表す第四説明図である。
【図６】この考案によるディスクケースを表す第五説明図である。
【符号の説明】
【００１５】
１０、３０         ディスクケース
１２               収容部
１４、９４         ディスク
５０、７０         ディスク固定枠
５２、７２         底枠
５４、７４         側枠
５６、７６         差込孔
７５               凹部
９０               固定金具
９２               留め具
９６、９９         袋
１００             物入れ
１０２             写真
【図１】
0003110458.tif 000003
【図２】
0003110458.tif 000004
【図３】
0003110458.tif 000005
【図４】
0003110458.tif 000006
【図５】
0003110458.tif 000007
【図６】
0003110458.tif 000008